(57)【要約】【課題】硬貨ホッパから落下した硬貨を水平に搬送する硬貨搬送ベルトで複数の硬貨の位置関係に起因して傾輪状態の硬貨を倒すことが困難な場合に、迅速に倒して硬貨詰まりをなくし、釣銭排出不良を解消するできる硬貨処理装置の硬貨倒し機構を提供する。【解決手段】この硬貨処理装置の硬貨倒し機構は、硬貨搬送ベルト１０５と、この硬貨搬送ベルト１０５と共に水平搬送路１０Ａを形成する基板１０８および側板１０９を備える硬貨処理装置において、傾輪した硬貨１２を水平搬送路１０Ａの幅Ｗの方向に移動させる硬貨逃げスペースＳ１を形成する硬貨倒し部材１１を設けるように構成される。硬貨倒し部材１１は、頭部１１ａと軸部１１ｂを有し、茸状の形状を有している。【選択図】図１
2015060340.tif 000002
【特許請求の範囲】
【請求項１】
硬貨搬送ベルトと、前記硬貨搬送ベルトと共に水平搬送路を形成する基板および側板を備える硬貨処理装置において、傾輪した硬貨を前記水平搬送路の幅方向に移動させる硬貨逃げスペースを形成する硬貨倒し部を設けたことを特徴とする硬貨処理装置の硬貨倒し機構。
【請求項２】
前記硬貨倒し部は、前記水平搬送路の前記基板に取り付けられかつ前記硬貨逃げスペースに前記傾輪した硬貨を逃がす硬貨接触部を有する硬貨倒し部材であることを特徴とする請求項１記載の硬貨処理装置の硬貨倒し機構。
【請求項３】
前記硬貨倒し部材は、頭部に円錐部を有する突起状部材であり、前記円錐部と前記側板との間に前記硬貨逃げスペースを形成することを特徴とする請求項２記載の硬貨処理装置の硬貨倒し機構。
【請求項４】
前記円錐部の先部は、前記傾輪した硬貨を前記硬貨逃げスペースに導く湾曲形状を有することを特徴とする請求項３記載の硬貨処理装置の硬貨倒し機構。
【請求項５】
前記硬貨倒し部材は、前記側板との間および前記硬貨搬送ベルトとの間のそれぞれに硬貨逃げスペースを形成する茸状部材であることを特徴とする請求項２記載の硬貨処理装置の硬貨倒し部材。
【請求項６】
前記硬貨倒し部材は、前記水平搬送路における上流側の面と下流側の面に前記貨幣接触部を有する頭部を備えた部材であり、前記頭部と前記側板との間に前記硬貨逃げスペースを形成することを特徴とする請求項２記載の硬貨処理装置の硬貨倒し機構。
【請求項７】
前記基板の形状と前記側板の形状の少なくともいずれか一方を変形させることにより、前記硬貨倒し部を設けたことを特徴とする請求項１記載の硬貨処理装置の硬貨倒し機構。
【請求項８】
前記硬貨倒し部は、前記硬貨搬送ベルトの上側で上方から下方に向かって配置されたすだれ状部材であることを特徴とする請求項１記載の硬貨処理装置の硬貨倒し機構。
【発明の詳細な説明】
【技術分野】
【０００１】
本発明は硬貨処理装置の硬貨倒し機構に関し、特に、硬貨ホッパから落下した硬貨を水平に搬送する硬貨搬送ベルトで複数の硬貨の位置関係に起因して傾輪状態の硬貨を倒すことが困難な場合にも傾輪した硬貨を迅速に倒して硬貨詰まりをなくし、釣銭排出不良を解消するのに好適な硬貨処理装置の硬貨倒し機構に関するものである。
【背景技術】
【０００２】
従来の硬貨処理装置の主要部の構成、およびそこで採用されている一般的な従来の硬貨倒し機構の構成を、図６と図７を参照して説明する。図６および図７では、硬貨処理装置の一方の筐体側板を取り外し、その内部構造を示している。通常、硬貨処理装置１００は、図６および図７において、左側から、横方向で一列状に、例えば１０円ホッパ１０１、１００円ホッパ１０２、５００円ホッパ１０３、５０円ホッパ１０４を順次に備えており、各硬貨ホッパ１０１〜１０４はその下部に硬貨放出口を有している。さらに各硬貨ホッパ１０１〜１０４の下方にはＤ１方向に進行する硬貨搬送ベルト１０５（水平搬送の部分）が配置されている。Ｄ１方向は、各硬貨ホッパ１０１〜１０４の硬貨放出口から放出された硬貨が搬送される方向である。なお硬貨搬送ベルト１０５は、右側端の縦方向の部分に、釣銭を排出するための硬貨排出口１０６につながる垂直搬送部１０５Ａを備えている。硬貨ホッパ１０１〜１０４のいずれかの硬貨放出口から釣銭としての硬貨が放出されると、放出された硬貨は硬貨搬送ベルト１０５の上に落下し、硬貨搬送ベルト１０５によって図中Ｄ１方向に搬送される。その際に、硬貨搬送ベルト１０５上に落下した硬貨が或る確率で倒れず、傾輪した（または立った）状態で硬貨搬送ベルト１０５上を移動することが起きる。このような傾輪状態が生じると、当該硬貨は釣銭として排出されず、問題が起きる。さらに、傾輪した硬貨が原因となって硬貨詰まりが生じ、釣銭排出不良が発生するので、問題であった。このためには、傾輪状態が生じた硬貨を迅速に倒し、釣銭排出のタイミングに間に合うように遅延なく搬送することが必要となる。
【０００３】
なお硬貨搬送ベルト１０５は、上記した水平搬送の部分と垂直搬送部１０５Ａを含む環状部材として形成され、左端下方のローラＲ１と右端上方のローラＲ３の間において他のローラＲ２，Ｒ４，Ｒ５等の支持に基づきループ状に巻回されている。いずれか１つのローラは駆動ロータとして構成されており、硬貨搬送ベルト１０５は矢印のごとく時計回りの向きに移動する。硬貨搬送ベルト１０５の水平搬送の部分はローラＲ１とローラＲ２の間に設定される。垂直搬送部１０５ＡはローラＲ２とローラＲ３との間に設定される。硬貨搬送ベルト１０５の他の部分は反対方向に動く戻りの部分である。また垂直搬送部１０５Ａの箇所には、環状の他のベルト１０７が設けられている。ベルト１０７は、ローラＲ２，Ｒ６，Ｒ７によって形成されるループ状ルートで巻回され、さらに他の複数のローラ（Ｒ３等）で支持され、その移動の位置が設定されている。ベルト１０７は矢印のごとく反時計回りの向きに移動する。垂直搬送部１０５Ａは、ベルト１０７と接触した状態にあり、垂直搬送部１０５Ａとベルト１０７で硬貨を挟み込み、上方に移動させる。
【０００４】
従来では、図６および図７に示すように、硬貨搬送ベルト１０５上にて、基板１０８と側板１０９によって設定された硬貨搬送ルートにおいて、例えば３箇所に硬貨倒し棒１１０，１１１，１１２が配置されていた。３つの硬貨倒し棒１１０〜１１２はいずれも、硬貨搬送ベルト１０５の配置位置から所定の高さ位置にて、基板１０８から側板１０９へ架け渡すように配置され、かつ基板１０８に対して鋭角で交差するように設けられている。硬貨倒し棒１１０は１０円ホッパ１０１と１００円ホッパ１０２との間に配置され、硬貨倒し棒１１１は１００円ホッパ１０２と５００円ホッパ１０３との間に配置され、硬貨倒し棒１１２は５００円ホッパ１０３と５０円ホッパ１０４との間に設置されている。
【０００５】
上記の硬貨倒し棒１１０〜１１２によれば、硬貨搬送ベルト１０５上を硬貨が傾輪して（または立って）移動するとき、硬貨倒し棒１１０〜１１２に当たると、当該硬貨の上側部分を基板１０８側に移動させると共に当該硬貨の下側部分を基板搬送ベルト１０５の移動によって搬送方向Ｄ１に移動させるため、硬貨に大きな傾斜状態が生じ、硬貨を迅速に倒すことができる。これによって硬貨の傾輪状態が迅速に解消される。
【０００６】
また硬貨倒し機構の他の従来技術としては特許文献１に開示された硬貨倒し機構が存在する。この硬貨倒し機構は、硬貨搬送ルートの所要の位置において基板から側板に到るように設置された所要の立体形状を有する硬貨倒し部材を有し、この硬貨倒し部材によって傾輪した硬貨を倒すようにしている。この硬貨倒し部材の形状は、硬貨搬送方向にて上流側に位置する面に所要角度の傾斜面を有し、傾輪して移動する硬貨がこの傾斜面に当たると、当該傾斜面に沿って硬貨を倒すように構成している。
【先行技術文献】
【特許文献】
【０００７】
【特許文献１】特開２０１１−３０４７号公報
【発明の概要】
【発明が解決しようとする課題】
【０００８】
図７に示した硬貨倒し棒１１０〜１１２、および特許文献１に開示される硬貨倒し部材は、いずれも、傾輪状態にある１つの硬貨を倒すことに対しては極めて有効である。しかしながら、釣銭排出の際には、通常、複数の硬貨がほぼ同時に硬貨ホッパ１０１〜１０３等から放出されるので、硬貨搬送ベルト１０５上で複数の硬貨がほぼ同時に搬送される。このため、図８と図９に示すような状態が或る確率で発生する。これらの図に示した状態は、傾輪した（または立った）状態の硬貨２０１が搬送されると共に、当該硬貨２０１の下部近傍に倒れた状態の硬貨２０２が搬送されている状態である。硬貨２０２は、傾輪状態の硬貨２０１の下部側の動きを規制する位置に存在している。このため、傾輪した状態の硬貨２０１が例えば硬貨倒し棒１１１に当たって、硬貨２０１の上側部分が基板１０８の側に拘束されたとしても、２つの硬貨２０１，２０２の接触部で力Ｆ１，Ｆ２が生じ、その結果、力Ｆ３で示されるように硬貨２０１が基板１０８に押し付けられ、さらに力Ｆ４で示されるように硬貨２０２が側板１０９またはその内側周辺に設置された金具等に押し付けられる。このように、硬貨２０１の下側部分の動きが硬貨２０２のために規制され、結果として硬貨倒し棒１１１によって基板１０８側に押し付けられてロックされ、また硬貨２０２にも硬貨２０１に制約を受けた状態になって移動できず、硬貨２０１，２０２がその箇所に滞留する事態、または硬貨２０１が倒れるのに時間を要する事態が生じる。そのため、硬貨２０１については釣銭として全く排出できないか、または適切なタイミングで排出することができず、釣銭不足という大きな問題を提起することになる。倒れた硬貨２０２の代わりに、硬貨２０１に対して傾いた状態で倒れかかった硬貨２０３が存在する場合にも同様な問題が起きる。特許文献１に開示された硬貨倒し部材についても、複数の釣銭硬貨の搬送時には硬貨の位置関係に起因して上記と同様な問題が起きる。
【０００９】
本発明の目的は、上記の課題に鑑み、硬貨ホッパから落下した硬貨を水平に搬送する硬貨搬送ベルトで複数の硬貨の位置関係に起因して傾輪状態の硬貨を倒すことが困難な場合に、迅速に倒して硬貨詰まりをなくすことができ、釣銭排出不良を解消することができる硬貨処理装置の硬貨倒し機構を提供することにある。
【課題を解決するための手段】
【００１０】
本発明に係る硬貨処理装置の硬貨倒し機構は、上記の目的を達成するため、次のように構成される。
【００１１】
第１の硬貨処理装置の硬貨倒し機構（請求項１に対応）は、硬貨搬送ベルトと、この硬貨搬送ベルトと共に水平搬送路を形成する基板および側板を備える硬貨処理装置において、傾輪した硬貨を水平搬送路の幅方向に移動させる硬貨逃げスペースを形成する硬貨倒し部を設けるように構成される。
【００１２】
上記の硬貨処理装置の硬貨倒し機構では、硬貨搬送ベルトが硬貨ホッパから落下した複数の硬貨を水平方向に搬送する場合において、１つの硬貨が傾輪状態にあり、かつ傾輪した硬貨の下に１つの硬貨が横になって存在するとき、傾輪状態の硬貨を倒すための硬貨倒し部材として、硬貨逃げスペースを形成する硬貨倒し部を設けるようにし、これにより、傾輪した硬貨と横たわる硬貨のロック状態が解消され、傾輪した硬貨を確実にかつ迅速に倒すことが可能となる。
【００１３】
第２の硬貨処理装置の硬貨倒し機構（請求項２に対応）は、上記の構成において、好ましくは、硬貨倒し部は、水平搬送路の基板に取り付けられかつ硬貨逃げスペースに傾輪した硬貨を逃がす硬貨接触部を有する硬貨倒し部材であることを特徴とする。この構成では、硬貨倒し部は、硬貨搬送ベルト、基板、および側板によって形成された水平搬送路において、当該基板に取り付けられる硬貨倒し部材であり、頭部に硬貨接触部を有している。
【００１４】
第３の硬貨処理装置の硬貨倒し機構（請求項３に対応）は、上記の構成において、好ましくは、硬貨倒し部材は、頭部に円錐部を有する突起状部材であり、円錐部と側板との間に硬貨逃げスペースを形成することを特徴とする。この構成では、突起状部材として形成された硬貨倒し部材は、全体形状として好ましくは茸形状であり、頭部と軸部を有し、頭部は好ましくは円錐部として形成されている。硬貨倒し部材の円錐部は基板から突き出た形状を有し、当該円錐部と側板等との間に硬貨逃げスペースが形成される。
【００１５】
第４の硬貨処理装置の硬貨倒し機構（請求項４に対応）は、上記の構成において、好ましくは、円錐部の先部は、傾輪した硬貨を硬貨逃げスペースに導く湾曲形状を有することを特徴とする。この構成では、円錐部の先部に丸みを付けることにより、傾輪状態の硬貨の移動を滑らかに行うことが可能となる。
【００１６】
第５の硬貨処理装置の硬貨倒し機構（請求項５に対応）は、上記の構成において、好ましくは、硬貨倒し部材は、側板との間および硬貨搬送ベルトとの間のそれぞれに硬貨逃げスペースを形成する茸状部材であることを特徴とする。
【００１７】
第６の硬貨処理装置の硬貨倒し機構（請求項６に対応）は、上記の構成において、好ましくは、硬貨倒し部材は、水平搬送路における上流側の面と下流側の面に貨幣接触部を有する頭部を備えた部材であり、頭部と側板との間に硬貨逃げスペースを形成することを特徴とする。
【００１８】
第７の硬貨処理装置の硬貨倒し機構（請求項７に対応）は、上記の構成において、好ましくは、基板の形状と側板の形状の少なくともいずれか一方を変形させることにより、硬貨倒し部を設けたことを特徴とする。硬貨を倒す部材として、硬貨逃げスペースを有する構造であるならば、基板、側板、またはその両方の形状を変形されることにより、同じ作用を発揮する部分を実現することができる。
【００１９】
第８の硬貨処理装置の硬貨倒し機構（請求項８に対応）は、上記の構成において、好ましくは、硬貨倒し部は、硬貨搬送ベルトの上側で上方から下方に向かって配置されたすだれ状部材であることを特徴とする。すだれ状部材であっても、硬貨逃げスペースを作ることができ、同様な硬貨倒し作用を生じさせることができる。
【発明の効果】
【００２０】
本発明によれば、次の効果を発揮する。
硬貨搬送ベルト、基板、側板で形成される水平搬送路を有するように構成された硬貨処理装置で、硬貨搬送ベルトが硬貨ホッパから落下した複数の硬貨を水平方向に搬送し、さらに例えば１つの硬貨が傾輪状態にありかつ傾輪した硬貨の下に１つの硬貨が横になって存在する場合において、傾輪した硬貨を水平搬送路の幅方向に移動させる硬貨逃げスペースを形成する硬貨倒し部を設けたため、傾輪した硬貨を確実に迅速に倒すことができ、ロック状態を解消し、迅速に倒すことにより硬貨詰まりをなくし、釣銭排出不良を解消することができる。
【図面の簡単な説明】
【００２１】
【図１】本発明の第１の実施形態に係る硬貨処理装置の硬貨倒し機構の要部の具体的構成を示す斜視図である。
【図２】第１の実施形態における硬貨倒し機構の要部を示す正面図である。
【図３】第１の実施形態における硬貨倒し機構を概念的に説明するための斜視図である。
【図４】硬貨倒し部材の頭部の他の実施例を示す斜視図である。
【図５】第２の実施形態に係る硬貨倒し部材を示す斜視図である。
【図６】従来の硬貨処理装置の主要部の構成およびそこで採用されている従来の一般的な硬貨倒し機構の例を示す正面図である。
【図７】図６で示した硬貨倒し機構の形状および配置構成を示す斜視図である。
【図８】従来の硬貨倒し機構で生じる硬貨滞留問題を説明するための部分平面図である。
【図９】図８におけるＡ−Ａ線断面図である。
【発明を実施するための形態】
【００２２】
以下に、本発明の好適な実施形態（実施例）を添付図面に基づいて説明する。
【００２３】
図１〜図３を参照して、本発明に係る硬貨処理装置の硬貨倒し機構の第１の実施形態を説明する。
【００２４】
なお本発明に係る硬貨倒し機構が適用される硬貨処理装置の基本的な構成は図６および図７を参照して説明した従来装置の構成と同じである。すなわち、硬貨倒し機構の部分を除いて、硬貨処理装置の構成は図６および図７で説明した構成と同じである。従って図１〜図３に関する説明において、図６および図７で説明された要素と実質的に同一の要素には同一の符号を付して説明を行うものとする。
【００２５】
図１では、説明の便宜上、硬貨処理装置１００における１００円ホッパ１０２と５００円ホッパ１０３の部分が示されている。図１において、これらのホッパ１０２，１０３の下側には、硬貨搬送ルート１０が形成されている。硬貨搬送ルート１０は、所定の間隔で平行に配置された基板１０８および側板１０９と、基板１０８と側板１０９の間の下部領域に形成された硬貨搬送ベルト１０５とによって形成されている。１００円ホッパ１０２と５００円ホッパ１０３の各々の硬貨放出口から放出された釣銭用の硬貨は、硬貨搬送ルート１０の硬貨搬送ベルト１０５の上に落下する。落下した硬貨は、硬貨搬送ベルト１０５によって搬送方向Ｄ１に移動する。
【００２６】
硬貨搬送ルート１０において、１００円ホッパ１０２の上流側、５００円ホッパ１０３の下流側には、一例として便宜的に、前述した従来の硬貨倒し棒１１０，１１２が設置されている。硬貨倒し棒１１０，１１２は、それぞれ、基板１０８から側板１０９まで架け渡され、かつ基板１０８の面に対して鋭角を作る角度で配置されている。さらに１００円ホッパ１０２と５００円ホッパ１０３の間には、本発明の第１の実施形態に係る硬貨倒し機構に基づく硬貨倒し部材１１が設けられている。この硬貨倒し部材１１は、全体的な形状として、好ましくは、頭部１１ａを有したほぼ「茸型」のピン形状（または茸状部材）の部材である。図１において、硬貨倒し部材１１の軸部分１１ｂは基板１０８によって隠れた状態にあり、破線で図示されている。硬貨倒し部材１１の頭部１１ａのみが基板１１ｂから突き出た状態で図示されている。硬貨倒し部材１１は、頭部１１ａが基板１０８の面から硬貨搬送ルート１０の側に対して突き出たように設けられている。
【００２７】
硬貨搬送ルート１０は、図２に示すごとく、水平搬送ルート（水平搬送路）１０Ａと、垂直搬送ルート（垂直搬送路）１０Ｂとから形成されている。水平搬送ルート１０Ａでは硬貨搬送ベルト１０５は水平方向に配置され、垂直搬送ルート１０Ｂでは硬貨搬送ベルト１０５はほぼ垂直方向に配置されている。垂直搬送ルート１０Ｂは、前述した垂直搬送部１０５Ａに対応している。垂直方向の硬貨搬送ベルト１０５は、別途に設けられたベルトと共に硬貨を挟むように設けられており、硬貨排出部１０６の箇所まで硬貨を搬送するように配置されている。図２では、１００円ホッパ１０２の硬貨放出口１０２ａから放出された複数の硬貨１２が硬貨搬送ベルト１０５の上に落下し、Ｄ１の方向に搬送されつつある状態が示されている。複数の硬貨１２のうち１つの硬貨が傾輪状態にある。基板１０８の水平搬送ルート１０Ａ側の面には、硬貨倒し部材１１の頭部１１ａが突き出ている。
【００２８】
硬貨搬送ルート１０の水平搬送ルート１０Ａは、図３に示すように、両側の基板１０８および側板１０９と硬貨搬送ベルト１０５とによって形成されている。なお、図３の図示内容では、説明の便宜上の観点から、側板１０９の一部１０９ａを切り欠いて示している。基板１０８から水平搬送ルート１０Ａの中に頭部１１ａが突き出た硬貨倒し部材１１は、基板１０８から側板１０９まの幅Ｗの全体に架け渡された状態ではなく、頭部１１ａの部分だけが基板１０８から突き出た状態に配置されている。そのため、硬貨倒し部材１１の頭部１１ａと側板１０９の間にはスペースＳ１が形成される。換言すると、硬貨倒し手段として、頭部１１ａを有した硬貨倒し部材１１を使用することにより、硬貨搬送ルート１０の水平搬送ルート１０Ａにおいて、幅Ｗの方向において硬貨１２を通過させるための、すなわち硬貨１２を「逃がす」ための硬貨逃げスペースＳ１が形成されることになる。なお、硬貨逃げスペースＳ１は、頭部１１ａと側板１０９の間だけではなく、頭部１１ａと硬貨搬送ベルト１０５の間にも形成される。これによって、例えば１つの硬貨１２が傾輪しかつその周囲に複数の倒れた硬貨１２が生じる場合においてこれらの複数の硬貨１２でロック状態が生じ、これらの複数の硬貨１２が滞留するという状態の発生をなくすことができる。
【００２９】
第１の実施形態において、硬貨倒し部材１１の頭部１１ａは、好ましくは、図２と図３に示されるように、硬貨の搬送方向Ｄ１にて両側に斜面部１１ａ−１，１１ａ−２を有し、頂部に平坦部１１ａ−３を有した形状となっている。頭部１１ａの形状は、上から見ると、基板１０８側を底辺とするほぼ台形形状になっている。なお、頭部１１ａの形状は、これに限定されるものではない。例えば、円錐部の形状、円錐台部の形状等であってもよい。
【００３０】
上記の構成を有する硬貨倒し機構によれば、上記の形状および配置構成を有する硬貨倒し部材１１を用いることにより、水平搬送ルート１０Ａでの硬貨搬送ベルト１０５上で硬貨逃げスペースＳ１を作るようにしたため、１つの硬貨が傾輪しかつその周囲に少なくとも１つの硬貨が倒れた状態の複数の硬貨１２が搬送された場合にも、傾輪状態の硬貨の上部が斜面部１１ａ−１に接触して、当該硬貨の上部を硬貨逃げスペースＳ１の側へ移動させるので、複数の硬貨１２が詰まってロック状態になるのを防止し、滞留するのを阻止することができる。硬貨倒し部材１１の頭部１１ａの斜面部１１ａ−１は、硬貨を硬貨逃げスペースＳ１に導く硬貨接触部として機能する。
【００３１】
図４に、硬貨倒し部材１１の頭部の他の実施例を示す。頭部２１のみを示し、軸部の図示は省略する。この頭部２１では、頂部が平坦ではなく、先端２１ａが尖った形状を有し、かつ左右の両側および上下の側の斜面部が湾曲するように形成されている。水平搬送ルート１０Ａにおいて上流側に位置する一方の斜面部２１ｂが硬貨接触部として機能する。
【００３２】
さらに硬貨倒し部材１１の頭部を円錐形状に作ることもできる。硬貨倒し部材１１は、頭部に円錐部を有する突起状部材として形成される。水平搬送ルート１０Ａにおける円錐部の上流側の曲面が硬貨接触部として機能する。
【００３３】
図５は、第２の実施形態に係る硬貨倒し機構に基づく硬貨倒し部材を示す。この硬貨倒し部材３１は、全体として棒状の部材であり、基部３１Ａは金属材で作られ、ほぼ中央部から先部までの部分３１Ｂは変形可能な樹脂材やゴム材等で作られている。硬貨倒し部材３１の先端部３１Ｃは、茸状部材としては作られず、単に円錐形状に形成されている。この硬貨倒し部材３１は、基部３１Ａを基板１０８側の内部に取り付け、中央部から先部までの部分３１Ｂを基板１０８から水平搬送ルート１０Ａの中に突出させるように配置される。硬貨倒し部材３１の先端部３１Ｃと側板１０９の間には硬貨逃げスペースＳ１が作られる。上記の硬貨倒し部材３１を用いることにより、傾輪した硬貨が硬貨倒し部材３１の部分３１Ｂに当たると、硬貨が接触した当該部分３１Ｂは押されて下流側に変形し、当たった硬貨を硬貨逃げスペースＳ１に移動させる。かかる硬貨倒し部材３１によれば、複数の硬貨が搬送されることに起因して当該硬貨が詰まり、滞留する状態を確実に防止することができる。
【００３４】
さらに本発明に係る硬貨倒し機構は、前述した通り、硬貨処理装置の硬貨搬送ルート１０の水平搬送ルート１０Ａにおいて硬貨逃げスペースＳ１を作ることのできる硬貨倒し部材を用いることに特徴があるので、例えば硬貨搬送ベルト１０５の上側位置にて上方から下方に向かって配置され、かつ基板１０８または側板１０９との間に硬貨逃げスペースを作るすだれ状部材を用いることもできる。
【００３５】
さらに硬貨倒し機構の変形例として、前述した基板１０８または側板１０９の少なくともいずれか一方の所定の箇所に突出させるようにした変形部を作り、上記の硬貨倒し部材１１の頭部１１ａ等と同等の機能を持たせるように構成することも可能である。
【００３６】
以上の実施形態で説明された構成、形状、大きさおよび配置関係については本発明が理解・実施できる程度に概略的に示したものにすぎず、また数値および各構成の組成（材質）等については例示にすぎない。従って本発明は、説明された実施形態に限定されるものではなく、特許請求の範囲に示される技術的思想の範囲を逸脱しない限り様々な形態に変更することができる。
【産業上の利用可能性】
【００３７】
本発明に係る硬貨処理装置の硬貨倒し機構は、自動券売機等の硬貨処理装置に適用され、釣銭排出時であって複数の硬貨が同時に排出される場合に硬貨搬送ルートでの硬貨詰まりを確実に防止し、釣銭排出不良を改善し、円滑に釣銭排出を行うのに利用される。
【符号の説明】
【００３８】
１０            硬貨搬送ルート
１０Ａ          水平搬送ルート（水平搬送路）
１０Ｂ          垂直搬送ルート（垂直搬送路）
１１            硬貨倒し部材
１１ａ          頭部
１１ａ−１      斜面部
１１ａ−２      斜面部
１１ａ−３      平坦部
１１ｂ          軸部
１２            硬貨
２１            頭部
２１ａ          先端
２１ｂ          斜面部
３１            硬貨倒し部材
３１Ａ          基部
３１Ｂ          中央部から先部の部分
３１Ｃ          先端部
１００          硬貨処理装置
１０１          １０円ホッパ
１０２          １００円ホッパ
１０３          ５００円ホッパ
１０４          ５０円ホッパ
１０５          硬貨搬送ベルト
１０５Ａ        垂直搬送部
１０６          硬貨排出部
１０７          ベルト
１０８          基板
１０９          側板
１０９ａ        切欠き部
１１０          硬貨倒し棒
１１１          硬貨倒し棒
１１２          硬貨倒し棒
２０１          硬貨
２０２          硬貨
２０３          硬貨
Ｄ１            搬送方向
Ｗ              幅
Ｓ１            硬貨逃げスペース
Ｒ１〜Ｒ７      ローラ
【図１】
2015060340.tif 000003
【図２】
2015060340.tif 000004
【図３】
2015060340.tif 000005
【図４】
2015060340.tif 000006
【図５】
2015060340.tif 000007
【図６】
2015060340.tif 000008
【図７】
2015060340.tif 000009
【図８】
2015060340.tif 000010
【図９】
2015060340.tif 000011